(57)【要約】【課題】複数の無線接続装置が存在する電話システムにおいて、確実に、且つ速やかに予め定めた各無線接続装置の時分割通信タイミングに同期させることのできる電話システムを提供する。【解決手段】マスタ無線接続装置との間で確実に無線通信することのできる第１群に属する無線接続装置は、前記マスタ無線接続装置から直接前記同期信号を取得して自局の時分割通信のタイミングを設定し、前記マスタ無線接続装置との間で無線通信することのできない第２群に属する無線接続装置は、前記第１群に属する無線接続装置を介して前記マスタ無線接続装置からの前記同期信号を取得して自局の時分割通信タイミングを設定する。【選択図】      図６
2004336544.tif 000002
【特許請求の範囲】
【請求項１】
所定の通信網に接続された交換機と、
この交換機にネットワークを介して接続されてそれぞれ所定エリアに存在する子局との間で無線通信して前記交換機を介する通信を中継する複数の無線接続装置と、
前記交換機にネットワークを介して接続されて所定エリアに存在する子局との間で無線通信して前記交換機を介する通信を中継すると共に、前記各無線接続装置に対してそれぞれ時分割通信タイミングを規定する同期信号を無線送信するマスタ無線接続装置とを具備し、
前記マスタ無線接続装置との間で確実に無線通信することのできる第１群に属する無線接続装置は、前記マスタ無線接続装置から前記同期信号を直接取得して自局の時分割通信のタイミングを設定し、
前記マスタ無線接続装置との間で無線通信することのできない第２群に属する無線接続装置は、前記第１群に属する無線接続装置を介して前記マスタ無線接続装置からの前記同期信号を取得して自局の時分割通信タイミングを設定することを特徴とする電話システム。
【請求項２】
請求項１に記載の電話システムにおいて、
前記マスタ無線接続装置との間、および前記第１群に属する無線接続装置との間で無線通信することのできない第３群に属する無線接続装置は、前記マスタ無線接続装置からの前記同期信号を取得した第２群に属する無線接続装置を介して前記同期信号を取得して自局の時分割通信タイミングを設定することを特徴とする電話システム。
【発明の詳細な説明】
【０００１】
【発明の属する技術分野】
本発明は、通信網に接続された交換機と、この交換機にネットワークを介して接続されてそれぞれ所定エリアに存在する子局との間で無線通信して前記交換機を介する通信を中継する複数の無線接続装置を備えた電話システムに関する。
【０００２】
【従来の技術】
通信回線に接続されて電話交換を行う交換機（主装置）と、この主装置に収容された複数の接続装置との間で無線通信路を確立して通信を行う複数の無線端末を備えた電話システムが知られている（例えば、特許文献１を参照）。
この電話システムは、複数の接続装置を２つのグループ（制御チャネルグループ）に分けて管理するものであって、無線端末からなされる外線発信要求に対して、一方の接続装置が有する通信チャネル数を越えた場合であっても、他方の接続装置を通じて該無線端末が外線発信を行うことを可能とするものである。
【０００３】
あるいは、図１に示すように公衆電話回線などの所定の通信網に接続された交換機（主装置）１と、この交換機（主装置）１が設置された構内に例えばイーサネット（登録商標）などのネットワーク（ＬＡＮ）２を接続すると共に、このネットワーク２の予め定めたエリアに存在する子局３との間で無線通信を行い、前記主装置１を介した通信を中継する複数の無線接続装置４を備えた構内電話システムがある。
【０００４】
この種の構内電話システムにあっては、複数の無線接続装置４と子局３との間の無線通信は、複数の無線接続装置４および子局３のそれぞれが送信する電波が相互に混信または干渉しないように送受信する時間を分割して割り当てる所謂、時分割多元伝送が適用される。
この時分割多元伝送は、例えば社団法人電波産業会（ＡＲＩＢ）が規定する第二世代コードレス電話システム（ＲＣＲ  ＳＴＤ−２８）の時分割多元二重伝送方式（ＴＤＭＡ−ＴＤＤ）等によるものである。具体的に、この時分割多元二重伝送方式における伝送フォーマットは、図２に示すように［５ｍｓ］を一単位時間として、これを等時間間隔（０．６２５ｍｓ）で８スロットに分割したものとして構成される。
【０００５】
ちなみに、この８スロットのうち最初の４スロットは、下りスロット（無線接続装置４が子局３にデータを送信）に、残りの４スロットは、上りスロット（子局３が無線接続装置４にデータを送信）に割り当てられている。そして、この８スロットを一単位として、ネットワーク２を介して主装置１に接続されているすべての無線接続装置４が順次、時分割多元接続を行って一周期の伝送を完了する。
【０００６】
例えば、主装置１が収容する無線接続装置４が［１０４］局ある場合、上述した時分割多元接続において一周期に要する時間Ｔは、［５×（１０４／４）＝１３０］ｍｓとなる。
このような時分割多元接続は、無線接続装置４毎に予め定められた時分割通信タイミングに従って行われる。具体的には、マスタ無線接続装置が送出した無線データを基準として時分割通信のタイミングを決定するもので、該無線データを受信した他の複数の無線接続装置は、予め割り当てられた自局の時分割通信タイミングに同期するようになっている。
【０００７】
ちなみにこの種の電話システムにあっては、複数の無線接続装置４がネットワーク２に接続されているため、該ネットワーク２を介して各無線接続装置４の時分割通信のタイミングを同期する方法も考えられるが、ネットワーク２上のトラフィックが高い場合、データ衝突や送信待ち等の伝送遅延が生じる懸念がありネットワーク２を利用した同期化は困難であった。
【０００８】
このため、例えば図３に示すように、主装置１にネットワーク２等を介して接続されたマスタ無線接続装置４ａと無線通信可能となるように、該ネットワーク２に接続された他のすべての無線接続装置（４ｂ，４ｃ，４ｄ，４ｅ）を配置する。そして、マスタ無線接続装置４ａが送出した無線データを基準として他のすべての無線接続装置（４ｂ，４ｃ，４ｄ，４ｅ）は、予め割り当てられた自局の送受信タイミングに同期するようになっている。
【０００９】
ちなみに、広範囲をカバーするため、複数の無線接続装置４を設ける場合、上述したマスタ無線接続装置４ａの送信する無線データが、該マスタ無線接続装置４ａの送信出力や他の無線接続装置の配置環境等により、すべての無線接続装置に到達できないことがある。この場合は、図４に示すように、マスタ無線接続装置（ＣＳ１）４ａと無線通信することのできるエリアに別の無線接続装置（ＣＳ２）４ｂを配置する。次に、マスタ無線接続装置（ＣＳ１）４ａと無線通信することはできないが、無線接続装置（ＣＳ２）４ｂと無線通信できるエリアに別の無線接続装置（ＣＳ３）４ｃを配置する。以降、子局３との通信を可能とする所望のエリアを満たすように無線接続装置を順次配置していく。そして、電話システムの設置時にマスタ無線接続装置４ａから近い無線接続装置順に時分割通信タイミングの順序を予め割り当てておく。そして、自局に隣接した無線接続装置の無線データを受けた無線接続装置は、予め割り当てられた自局の同期タイミングに順次、同期化して電話システム中のすべての無線接続装置（４ａ，４ｂ，４ｃ）が送受する電波の混信または干渉を防ぐよう構成されている。
【００１０】
詳しくは、図５に示す伝送シーケンス図に示すように、この電話システムの起動時には、マスタ無線接続装置４ａに距離的に近い場所に配置された無線接続装置から順番に時分割多元接続の送受タイミングが設定されるようになっている。
つまり、マスタ無線接続装置（ＣＳ１）４ａが送出した無線データを該マスタ無線接続装置（ＣＳ１）４ａの電波到達範囲内にある子局（ＰＳ１）３および無線接続装置（ＣＳ２）４ｂが受信する［ステートＳ１］。すると、この無線データを受信した無線接続装置（ＣＳ２）４ｂは、受信したマスタ無線接続装置（ＣＳ１）４ａが送出した無線データに基づいて、自局の時分割通信のタイミングを設定する［ステートＳ２］。そして、次の周期になったときマスタ無線接続装置（ＣＳ１）４ａに次いで無線接続装置（ＣＳ２）４ｂが無線データを送出する［ステートＳ３］。無線接続装置（ＣＳ２）４ｂが無線データを送出すると、この無線データを受信可能な子局（ＰＳ２）および別の無線接続装置（ＣＳ３）４ｃが該電波を受信する。すると、この無線接続装置（ＣＳ３）４ｃは、無線接続装置（ＣＳ２）４ｂが送出した無線データを基準として自局が送出する時分割通信のタイミングを設定する［ステートＳ４］。そして、次の周期になったとき、マスタ無線接続装置（ＣＳ１）４ａおよび無線接続装置（ＣＳ２）４ｂに続いて無線データを送出する［ステートＳ５］。
【００１１】
このように、マスタ無線接続装置４ａに距離的に近いエリアに設置された他の無線接続装置が順次、無線データを送出および受信することにより時分割通信のタイミングを確立するようになっている。
【００１２】
【特許文献１】
特開平９−１８２１３９号公報
【００１３】
【発明が解決しようとする課題】
しかしながら、上述した電話システムにおいて、すべての無線接続装置４の時分割通信タイミングを早期に確立するためには、マスタ無線接続装置４ａと無線通信することが可能なエリアに他のすべての無線接続装置を配置しなければならない。このため、電話システムを構築する場合、構築可能なエリアがマスタ無線接続装置４ａの電波到達範囲に限定されるという問題がある。
【００１４】
或いは、自局に隣接した無線接続装置４の無線データを受けて、自局の同期タイミングを生成する方式にあっては、上述したように自局に隣接した無線接続装置の無線データを受けた次の周期で、時分割多元接続の送受タイミングに同期する。そして、同期が完了した無線接続装置が出力する無線データを受けた別の無線接続装置が、更に次の周期で時分割多元接続の送受タイミングに同期する。したがって電話システムの中にｎ台の無線接続装置がある場合は、すべての無線接続装置が上述した時分割多元接続の送受タイミングに同期するまで、ｎ周期分の時間がかかることになる。このため、多数の無線接続装置がある場合は、同期確立に時間がかかるという問題がある。
【００１５】
また、このように無線接続装置毎に順次、同期する方式の電話システムにあっては、無線接続装置が何らかの不具合により通信できなくなった場合や無線接続装置が送受する電波状態が悪化する等、無線接続装置間の無線通信に障害が生じたとき、時分割多元接続の送受タイミングを同期化することができず、時分割通信を行うことができないという問題もあった。
【００１６】
本発明は、このような事情を考慮してなされたもので、その目的は、子局と無線接続する複数の無線接続装置を備えた電話システムにおいて、確実に、且つ速やかに割り当てられた無線接続装置毎の時分割多元接続の通信タイミングに同期させることのできる電話システムを提供することにある。
【００１７】
【課題を解決するための手段】
前述した目的を達成するため、本発明の請求項１に係る電話システムは、所定の通信網に接続された交換機と、この交換機にネットワークを介して接続されてそれぞれ所定エリアに存在する子局との間で無線通信して前記交換機を介する通信を中継する複数の無線接続装置と、前記交換機にネットワークを介して接続されて所定エリアに存在する子局との間で無線通信して前記交換機を介する通信を中継すると共に、前記各無線接続装置に対してそれぞれ時分割通信タイミングを規定する同期信号を無線送信するマスタ無線接続装置とを具備し、
前記マスタ無線接続装置との間で確実に無線通信することのできる第１群に属する無線接続装置は、前記マスタ無線接続装置から前記同期信号を直接取得して自局の時分割通信のタイミングを設定し、前記マスタ無線接続装置との間で無線通信することのできない第２群に属する無線接続装置は、前記第１群に属する無線接続装置を介して前記マスタ無線接続装置からの前記同期信号を取得して自局の時分割通信タイミングを設定することを特徴としている。
【００１８】
したがって、このような構成をとる電話システムは、マスタ無線接続装置との間で確実に無線通信できる第１群に属する無線接続装置が先ず時分割通信のタイミングに同期して、次いで第２群に属する無線接続装置が該時分割通信のタイミングに同期する。
更に前記マスタ無線接続装置との間、および前記第１群に属する無線接続装置との間で無線通信することのできない第３群に属する無線接続装置は、前記マスタ無線接続装置からの前記同期信号を取得した第２群に属する無線接続装置を介して前記同期信号を取得して自局の時分割通信タイミングを設定することを特徴としている。このため各無線接続装置は、グループ（群）毎に順次、時分割通信のタイミングに同期することができる。
【００１９】
したがって、本発明に係る電話システムによれば、確実に、且つ速やかに予め定めた各無線接続装置の時分割通信タイミングに同期させることのできる電話システムを提供することができる。
【００２０】
【発明の実施の形態】
以下、図面を参照して本発明の一実施形態に係る電話システムについて説明する。
図６は、本発明の一実施形態に係る電話システムの概略構成図である。この図において、１は、公衆電話通信網やインターネット等の所定の通信網と接続される構内電話交換機の主装置である。この主装置１には、例えばイーサネット（登録商標）などのＬＡＮ（ローカル・エリア・ネットワーク）２が接続されている。このＬＡＮ２には、予め定めたエリアに存在する子局３との間で無線通信を行い、前記交換機（主装置）１を介した通信を中継する無線接続装置（４ａ，４ｂ，４ｃ）が複数接続されている。ちなみに、これら複数の無線接続装置（４ａ，４ｂ，４ｃ）と子局３との無線通信は、複数の無線接続装置（４ａ，４ｂ，４ｃ）および子局３のそれぞれが送信する電波が混信または干渉しないように予め割り当てられたタイミングに従って電波を送受信する、いわゆる時分割多元接続が行われるようになっている。
【００２１】
さて、本発明に係る電話システムが特徴とする点は、上述したように構成した電話システムにおいて、詳細は後述するが複数の無線接続装置が時分割多元伝送を行う際の時分割通信タイミングを規定する無線データ（同期信号）を送出するマスタ無線接続装置４ａを備える点、およびこのマスタ無線接続装置４ａと無線通信可能な無線接続装置４ｂが属する無線接続装置群（第１群）と、前記マスタ無線接続装置４ａと直接無線通信することはできないが、第１群の無線接続装置４ｂと無線通信可能な無線接続装置４ｃが属する無線接続装置群（第２群）とに分けて管理する点にある。ちなみに、この無線データ（同期信号）には、該同期信号を送出した無線接続装置を識別する機器番号（送信順序番号）を含むものとなっている。
【００２２】
つまり、前記第１群に属する無線接続装置４ｂは、第１群に属するマスタ無線接続装置が送出する無線データを基準として、自局の送受信タイミングを予め割り付けられた送信順序番号に従い、無線接続装置４ｂの送受信の時分割制御タイミングに同期化するものである。
一方、前記第２群に属する無線接続装置４ｃは、前述したように第１群に属するマスタ無線接続装置４ａと無線通信することができないが、第１群に属する少なくとも一つの無線接続装置４ｂと無線通信できるようになっている。そこで第２群に属する無線接続装置４ｃは、第１群に属するマスタ無線接続装置４ａ以外の無線接続装置４ｂが、送信した無線データを受信して予め割り当てられた自局の時分割通信タイミングに同期化する。
【００２３】
詳しくは、第２群に属する無線接続装置４ｃにも、前述したように送信順序番号が割り付けられている。この第２群に属する無線接続装置４ｃの送信順序番号は、第１群に属する無線接続装置４ｂより後に送信するような送信順序番号（時分割送信順序番号）を割り付けるものとなっている。そして、第１群に属する無線接続装置４ｂが無線送信した電波を受けて、第２群に属する無線接続装置４ｃは、予め割り付けられた送受信順番号に基づく送受信の時分割通信タイミングに同期設定する。つまり、第１群に属する無線接続装置４ｂが無線送信したデータに含まれる無線接続装置４ｂの送信順序番号を受信して、自局が送受信する時分割多元接続の通信タイミングを設定するよう構成されている。
【００２４】
このように群管理した電話システムにおける時分割多元接続の通信タイミングの同期化について、図７に示す伝送制御シーケンス図を参照しながらより詳細に説明する。この伝送制御シーケンス図は、マスタ無線接続装置（ＣＳ１）４ａが送出する時分割通信タイミングを規定した無線データ（同期信号）を直接受信可能な無線接続装置４ｂが３局（第１群：ＣＳ２〜ＣＳ４）あり、マスタ無線接続装置が送出した時分割通信タイミングを規定する無線データを直接受信できないが、第１群に属する少なくとも一つの無線接続装置４ｂと無線通信可能な無線接続装置４ｃが３局（第２群：ＣＳ５〜ＣＳ７）ある場合を例示するものである。
【００２５】
尚、それぞれの無線接続装置（４ａ，４ｂ，４ｃ）には、時分割多元接続の送受信タイミングの順番を割り付ける重複しない送信順序番号（機器番号）が、例えばディップスイッチ等により予め設定される。そして各無線接続装置（４ａ，４ｂ，４ｃ）は、送信順序番号の値の小さい順に、時分割多元伝送のタイミングが規定されて子局３と無線通信ができるようになっている。ちなみに送信順序番号の設定は、各無線接続装置（４ａ，４ｂ，４ｃ）の設置工事の際、例えば工事業者により行われる。
【００２６】
このような電話システムにおいてマスタ無線接続装置は、先ず複数の無線接続装置（４ａ，４ｂ，４ｃ）が時分割多元接続を行う際の時分割通信タイミングを規定する無線データ（同期信号）を送出する［ステートＳ１０］。この無線データ（同期信号）は、マスタ無線接続装置無線接続装置の電波到達範囲内に存在する子局３との間で通信を行う下り１スロット分のフレームデータであり、マスタ無線接続装置（ＣＳ１）４ａと直接無線通信可能な無線接続装置（ＣＳ２〜４）４ｂの時分割多元伝送を行う際の時分割通信タイミングを決定する同期信号を兼ねるものである。
【００２７】
このマスタ無線接続装置（ＣＳ１）４ａが送出したフレームは、前述したようにマスタ無線接続装置の電波が到達する第１群に属する無線接続装置（ＣＳ２〜ＣＳ４）４ｂに到達する。そして、第１群に属する各無線接続装置４ｂは、このマスタ無線接続装置４ａが送信したフレームを受けた次の周期から自局に割り当てられた規定の時分割多元接続の送受タイミングに従って送受信する準備（同期準備）を行う［ステートＳ１１］。
【００２８】
具体的には無線接続装置（ＣＳ２〜ＣＳ４）４ｂは、マスタ無線接続装置（ＣＳ１）４ａが送出した下り１スロット分のフレームを受信する。そして、マスタ無線接続装置４ａが送出したフレームの送出タイミングを基準として自局に予め割り当てられた時分割多元伝送のタイミング（送信順序番号）を設定して同期準備が完了する。そして、同期準備が完了した無線接続装置（ＣＳ２〜ＣＳ４）４ｂは、次周期から予め規定された時分割通信のタイミングに同期して該無線接続装置（ＣＳ２〜ＣＳ４）４ｂの所定エリアに存在する子局３と相互通信が可能となる［ステートＳ１２］。
【００２９】
そうして第１群内のすべての無線接続装置４ｂの同期化が完了して、予め割り付けられた送信順序番号に基づく時分割通信のタイミングに従って通信を開始すると、第２群に属する各無線接続装置（ＣＳ５〜ＣＳ７）４ｃは、無線接続装置４ｂが無線通信する下りスロットのフレームを受信することができる［ステートＳ１２］。例えば、図７においては、第１群内の無線接続装置（ＣＳ４）が送出した電波を第２群に属する各無線接続装置（ＣＳ５〜ＣＳ７）４ｃが受信する。このとき、無線接続装置（ＣＳ４）４ｂが送出した下りフレームには、無線接続装置（ＣＳ４）４ｂの機器番号、すなわち送信順序番号が含まれている。そして、第２群に属する無線接続装置（ＣＳ５〜ＣＳ７）４ｃは、第１群に属する無線接続装置（ＣＳ４）４ｂが送出するフレームに含まれる送信順序番号（機器番号）に基づき、予め自局に割り当てられた送信順序番号（機器番号）から自局の送信タイミングを設定する（同期準備）［ステートＳ１３］。
【００３０】
このように第１群に属する無線接続装置４ｂが送出した下り１スロット分のフレームを受けた第２群に属する無線接続装置４ｃは、時分割多元伝送タイミングに従って無線通信を実行する準備（同期化）を完了させる。そして、第１群に属する無線接続装置４ｂフレームの送信を完了した次周期から予め規定された時分割通信のタイミングに同期して該無線接続装置４ｃ（ＣＳ５〜ＣＳ７）の所定エリアに存在する子局３と相互通信が可能となる［ステートＳ１４］。
【００３１】
したがって、上述したように無線接続装置４が送出する電波の到達範囲によって二群に分割した電話システムにあっては、三周期という短時間ですべての無線接続装置４の時分割通信を規定した所定のタイミングに同期させることが可能となる。
尚、上述した実施形態においては、マスタ無線接続装置（ＣＳ１）４ａと通信可能な無線接続装置（ＣＳ２〜ＣＳ４）４ｂとが属する第１群と、マスタ無線接続装置４ａと直接無線通信することはできないが、第１群に属する無線接続装置４ｂと無線通信可能な無線接続装置（ＣＳ５〜ＣＳ７）４ｃが属する第２群とに二分割した電話システムを例示したものである。更に、図８に示すように第２群に属する無線接続装置４ｃとだけ無線通信可能なエリアに存在する他の無線接続装置（ＣＳ８，ＣＳ９）４ｄからなる第３群がある場合について説明する。
【００３２】
尚、無線接続装置４を３群構成とした場合、第１群および第２群で行われる同期化の手順は、上述した２群構成の場合と同一であるので説明を省略する。そうして、第１群および第２群の同期化が完了した後、第２群に属する無線接続装置４ｃが送出する無線データが到達する範囲に属する第３群の無線接続装置４ｄは、無線接続装置４ｂが送出した下り１スロットのフレームを受信する。そして、このフレームを受信した第３群に属する無線接続装置４ｄは、無線接続装置４ｃが無線通信する下りスロットのフレームをそれぞれ受信する。例えば、図８においては、無線接続装置４ｃのＣＳ７が送出した電波を第３群に属する無線接続装置（ＣＳ８，ＣＳ９）４ｄが受信する。このとき第２群に属する無線接続装置（ＣＳ７）４ｃが送出した下りフレームには、該無線接続装置４ｃの機器番号、すなわち送信順序番号が含まれている。そして、この送信順序番号（機器番号）を含む下りスロットのフレームを受信した第３群に属する無線接続装置（ＣＳ８，ＣＳ９）４ｄは、自局に予め割り当てられた送信順序番号（機器番号）に基づき、自局の送信タイミングを設定する。
【００３３】
つまり、第２群に属する無線接続装置４ｃが送出した下り１スロット分のフレームを受けた第３群に属する無線接続装置４ｄは、時分割多元伝送タイミングに従って無線通信を実行する準備（同期化）を完了させる。そして、第２群に属する無線接続装置４ｃフレームの送信を完了した次周期から予め規定された時分割通信のタイミングに同期して該無線接続装置（ＣＳ８，ＣＳ９）４ｄの所定エリアに存在する子局３と相互通信が可能となる。
【００３４】
したがって、上述したように無線接続装置が送出する電波の到達範囲によって三群に分割した電話システムにあっては、わずか四周期という短時間ですべての無線接続装置の時分割通信を規定した所定のタイミングに同期させることが可能となる。
かくしてこのように構成した本発明に係る電話システムによれば、マスタ無線接続装置４ａと確実に無線通信することのできる無線接続装置４ｂを第１群とし、マスタ無線接続装置４ａと無線通信することはできないが、前記第１群に属する無線接続装置４ｂと無線通信可能な他の無線接続装置４ｃが属する第２群とに分けて時分割通信のタイミングの同期化を行っている。このため、第１群に属する無線接続装置４ｂが最初に時分割通信のタイミングに同期化を完了する。そして、第２群に属する無線接続装置４ｃは、第１群に属する無線接続装置４ｂが発した無線データを受信して、予め割り当てられた機器番号に従い、自局の時分割通信のタイミングに同期化する。このように、本発明に係る電話システムは、群単位で時分割通信のタイミングに同期化するので短時間で同期確立が可能となる。
【００３５】
尚、本発明は、その要旨を逸脱しない範囲で種々変形して実施することができる。例えば、複数の無線接続装置に送信順序番号を付与することなく、主装置から送信順序を設定するように構成してもよい。具体的には、主装置から各無線接続装置にネットワークを介して１台ずつ順次送信を行って指令を与える。そして、主装置から送信の指令を受けた無線接続装置以外の他の無線接続装置は、主装置から送信指令を受けた無線接続装置が送出した電波の受信電界強度を計測する。
【００３６】
次いで主装置は、ネットワークを介して測定した受信電界強度のデータを取り込むとともに、他のすべての無線接続装置に対しても同様に受信電界強度の計測を行い、電界強度テーブルを生成する。そして、前述したように無線接続装置の通信可能な範囲毎にグループ分けを行い、マスタ無線接続装置と直接無線通信可能な無線接続装置を第１群に、マスタ無線接続装置と直接無線通信することができないが、第１群に属する無線接続装置と無線通信可能な無線接続装置を第２群にそれぞれグループ分けする。
【００３７】
つまりこの場合、主装置は、該主装置にネットワークを介して接続された複数の無線接続装置の通信状態をそれぞれ計測して、各無線接続装置の受信状況から電界強度テーブルを作成する。そして主装置は、この電界強度テーブルから相互に無線通信可能となるように無線接続装置グループ分けを行うとともに、各グループに属する少なくも一台の無線接続装置間で相互通信可能となるようグループ分けを行うものである。つまり、前述した実施形態のように複数の無線接続装置を予めグループ分けする必要がない。このため、例えば無線接続装置の設置場所の変更や電波障害等があった場合でも、グループ構成の再設定を主装置から行うことで、速やかに各無線接続装置間の同期化を確実に行うことが可能となる。
【００３８】
【発明の効果】
以上述べたように、本発明に係る電話システムによれば、複数の無線接続装置が時分割多元接続する無線通信タイミングを短時間で同期化することが可能な電話システムを構築することができる。特に広範囲に無線接続装置を配置する場合などであっても、ネットワークを介して接続された複数の無線接続装置を電波到達範囲毎にグループ分けしているので、電波状況の変化に強く、且つ短時間で無線接続装置の時分割通信のタイミングを同期させることができる等の実用上多大なる効果が奏せられる。
【図面の簡単な説明】
【図１】従来の無線接続装置を利用した電話システムの概略構成を示す図。
【図２】時分割多元二重接続の伝送タイミングの一例を示す図。
【図３】従来の無線接続装置を利用した電話システムにおいて、マスタ無線接続装置と相互に無線通信可能な他の複数の無線接続装置を配置した例を示す電話システムの無線接続装置の配置図。
【図４】従来の無線接続装置を利用した電話システムにおいて、隣接する無線接続装置とのみ相互に無線通信が可能となるように構成した電話システムの無線接続装置の配置図。
【図５】図４に示す従来の電話システムの同期手順を示すシーケンス図。
【図６】本発明の一実施形態に係る電話システムの概略構成を示す図。
【図７】図６に示す本発明の一実施形態に係る電話システムの同期手順を示す図。
【図８】本発明の別の実施形態に係る電話システムの概略構成を示す図。
【符号の説明】
１      主装置
２      ネットワーク
３      子局
４      無線接続装置
【図１】
2004336544.tif 000003
【図２】
2004336544.tif 000004
【図３】
2004336544.tif 000005
【図４】
2004336544.tif 000006
【図５】
2004336544.tif 000007
【図６】
2004336544.tif 000008
【図７】
2004336544.tif 000009
【図８】
2004336544.tif 000010